【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
光源から発する光の変化により第１の鍵を公開的に配信する配信手段と、
配信された前記第１の鍵で暗号化された情報を受信する受信手段と
を備える情報処理装置。
【請求項２】
前記配信手段は、前記第１の鍵として認証機関により発行された公開鍵を配信する
請求項１に記載の情報処理装置。
【請求項３】
前記受信手段は、前記第１の鍵で暗号化された情報として第２の鍵を受信し、
受信された前記第２の鍵を復号し、共通鍵を得る復号手段を
さらに備える請求項１に記載の情報処理装置。
【請求項４】
前記配信手段はアクセスポイントに設けられ、前記第１の鍵をクライアントに公開的に配信し、
前記受信手段は前記アクセスポイントに設けられ、前記クライアントから近距離通信により送信された前記第２の鍵を受信する
請求項３の情報処理装置。
【請求項５】
前記配信手段は、前記第１の鍵として認証機関により発行された公開鍵を配信し、
前記アクセスポイントには、前記認証機関により証明されていることを示す情報が掲示されている
請求項４に記載の情報処理装置。
【請求項６】
前記配信手段は、前記光源から発する光の変化によりアドレス値をさらに配信する
請求項４に記載の情報処理装置。
【請求項７】
前記光源は、提供する情報に関係する物体を照明する照明器具である
請求項４に記載の情報処理装置。
【請求項８】
前記アクセスポイントは、前記照明器具の点滅を制御する信号を電力線を介して送信する
請求項７に記載の情報処理装置。
【請求項９】
前記光源は、可視光または赤外光を発生するLEDである
請求項１に記載の情報処理装置。
【請求項１０】
光源から発する光の変化により鍵を公開的に配信し、
配信された前記鍵で暗号化された情報を受信する
ステップを備える情報処理方法。
【請求項１１】
光源から発する光の変化により鍵を公開的に配信し、
配信された前記鍵で暗号化された情報を受信する
ステップを備えるコンピュータに実行させるプログラム。
【請求項１２】
請求項１１に記載のプログラムが記録されている記録媒体。
【請求項１３】
光源が公開的に発生する変化する光を受光する受光手段と、
受光された光から第１の鍵を読み取る読取手段と、
読み取られた前記第１の鍵で暗号化して第２の鍵を近距離通信により送信する送信手段と、
前記第２の鍵を共通鍵として情報を授受する授受手段と
を備える情報処理装置。
【請求項１４】
前記読取手段は、受光された光からアドレス値をさらに読み取る
請求項１３に記載の情報処理装置。
【請求項１５】
前記アドレス値に対応するシンボルを表示する表示手段と、
前記シンボルの選択を判定する判定手段と
をさらに備える請求項１４に記載の情報処理装置。
【請求項１６】
光源が公開的に発生する変化する光を受光し、
受光された光から第１の鍵を読み取り、
読み取られた前記第１の鍵で暗号化して第２の鍵を近距離通信により送信し、
前記第２の鍵を共通鍵として情報を授受する
ステップを備える情報処理方法。
【請求項１７】
光源が公開的に発生する変化する光を受光し、
受光された光から第１の鍵を読み取り、
読み取られた前記第１の鍵で暗号化して第２の鍵を近距離通信により送信し、
前記第２の鍵を共通鍵として情報を授受する
ステップを備えるコンピュータに実行させるプログラム。
【請求項１８】
請求項１７に記載のプログラムが記録されている記録媒体。
【請求項１９】
光源から発する光の変化により第１の鍵を公開的に配信し、
前記光源の光から前記第１の鍵を抽出し、
抽出された前記第１の鍵で暗号化して第２の鍵を近距離通信により送信し、
暗号化されている前記第２の鍵を受信して復号し、
前記第２の鍵を共通鍵として情報を授受する
情報処理システム。
【請求項２０】
光源から発する光の変化により第１の鍵を公開的に配信し、
前記光源の光から前記第１の鍵を抽出し、
抽出された前記第１の鍵で暗号化して第２の鍵を近距離通信により送信し、
暗号化されている前記第２の鍵を受信して復号し、
前記第２の鍵を共通鍵として情報を授受する
情報処理方法。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
本発明の第１の側面は、光源から発する光の変化により第１の鍵を公開的に配信する配信手段と、配信された前記第１の鍵で暗号化された情報を受信する受信手段とを備える情報処理装置である。
【手続補正５】
【補正対象書類名】明細書
【補正対象項目名】００２６
【補正方法】変更
【補正の内容】
【００２６】
本発明の第１の側面は、光源から発する光の変化により鍵を公開的に配信し、配信された前記鍵で暗号化された情報を受信するステップを備える情報処理方法、コンピュータに実行させるプログラム、および記録媒体である。
【手続補正６】
【補正対象書類名】明細書
【補正対象項目名】００２７
【補正方法】変更
【補正の内容】
【００２７】
本発明の第１の側面においては、光源から発する光の変化により鍵が公開的に配信され、配信された鍵で暗号化された情報が受信される。
【手続補正７】
【補正対象書類名】明細書
【補正対象項目名】００２８
【補正方法】変更
【補正の内容】
【００２８】
本発明の第２の側面は、光源が公開的に発生する変化する光を受光する受光手段と、受光された光から第１の鍵を読み取る読取手段と、読み取られた前記第１の鍵で暗号化して第２の鍵を近距離通信により送信する送信手段と、前記第２の鍵を共通鍵として情報を授受する授受手段とを備える情報処理装置である。
【手続補正８】
【補正対象書類名】明細書
【補正対象項目名】００３１
【補正方法】変更
【補正の内容】
【００３１】
本発明の第２の側面は、光源が公開的に発生する変化する光を受光し、受光された光から第１の鍵を読み取り、読み取られた前記第１の鍵で暗号化して第２の鍵を近距離通信により送信し、前記第２の鍵を共通鍵として情報を授受するステップを備える情報処理方法、コンピュータに実行させるプログラムまたは記録媒体である。
【手続補正９】
【補正対象書類名】明細書
【補正対象項目名】００３２
【補正方法】変更
【補正の内容】
【００３２】
本発明の第２の側面においては、光源が公開的に発生する変化する光が受光され、受光された光から第１の鍵を読み取られ、読み取られた前記第１の鍵で暗号化して第２の鍵が近距離通信により送信され、前記第２の鍵を共通鍵として情報が授受される。
本発明の第３の側面は、光源から発する光の変化により第１の鍵を公開的に配信し、前記光源の光から前記第１の鍵を抽出し、抽出された前記第１の鍵で暗号化して第２の鍵を近距離通信により送信し、暗号化されている前記第２の鍵を受信して復号し、前記第２の鍵を共通鍵として情報を授受する情報処理システムおよび情報処理方法である。
本発明の第３の側面においては、光源から発する光の変化により第１の鍵が公開的に配信され、光源の光から第１の鍵が抽出される。抽出された第１の鍵で暗号化して第２の鍵が近距離通信により送信され、暗号化されている第２の鍵が受信して復号され、第２の鍵が共通鍵として情報が授受される。
【手続補正１０】
【補正対象書類名】明細書
【補正対象項目名】００３３
【補正方法】変更
【補正の内容】
【００３３】
以上のように、本発明の第３の側面によれば、情報を授受することができる。特に、本発明の第３の側面によれば、迅速かつ自由に、さらに安全に情報を授受することができる。
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】変更
【補正の内容】
【００３６】
本発明の第１の側面は、光源（例えば、図２のLED32）から発する光の変化により第１の鍵（例えば、図２の公開鍵K1）を公開的に配信する配信手段（例えば、図11のステップS42、図19のステップS147の処理を実行する図７の送信部122）と、配信された前記第１の鍵で暗号化された情報（例えば、図２の暗号鍵K2）を受信する受信手段（例えば、図11のステップS47、図19のステップS146の処理を実行する図７の受信部121）とを備える情報処理装置（例えば、図２の接続サービス装置13）である。
【手続補正１３】
【補正対象書類名】明細書
【補正対象項目名】００４５
【補正方法】変更
【補正の内容】
【００４５】
また、本発明の第１の側面は、光源（例えば、図２のLED32）から発する光の変化により鍵（例えば、図２の公開鍵K1）を公開的に配信し（例えば、図11のステップS42、図19のステップS147）、配信された前記鍵で暗号化された情報（例えば、図２の暗号鍵K2）を受信する（例えば、図11のステップS47、図19のステップS146）ステップを備える情報処理方法（例えば、図２の接続サービス装置13の情報処理方法）、コンピュータに実行させるプログラム、または記録媒体である。
【手続補正１４】
【補正対象書類名】明細書
【補正対象項目名】００４６
【補正方法】変更
【補正の内容】
【００４６】
本発明の第２の側面は、光源が公開的に発生する変化する光を受光する受光手段（例えば、図10のステップS11、図18のステップS108の処理を実行する図６の撮像部101）と、受光された光から第１の鍵（例えば、図２の公開鍵K1）を読み取る読取手段（例えば、図10のステップS12、図18のステップS108の処理を実行する図６の読取部102）と、読み取られた前記第１の鍵で暗号化して第２の鍵（例えば、図２の暗号鍵K2）を近距離通信により送信する送信手段（例えば、図10のステップS19、図18のステップS110の処理を実行する図６の送信部107）と、前記第２の鍵を共通鍵として情報を授受する授受手段（例えば、図10のステップS20、図18のステップS111の処理を実行する図６の授受処理部108）とを備える情報処理装置である。
【手続補正１５】
【補正対象書類名】明細書
【補正対象項目名】００４９
【補正方法】変更
【補正の内容】
【００４９】
本発明の第２の側面は、光源が公開的に発生する変化する光を受光し（例えば、図10のステップS11、図18のステップS108）、受光された光から第１の鍵（例えば、図２の公開鍵K1）を読み取り（例えば、図10のステップS12、図18のステップS108）、読み取られた前記第１の鍵で暗号化して第２の鍵（例えば、図２の暗号鍵K2）を近距離通信により送信し（例えば、図10のステップS19、図18のステップS110）、前記第２の鍵を共通鍵として情報を授受する（例えば、図10のステップS20、図18のステップS111）ステップを備える情報処理方法、コンピュータに実行させるプログラムまたは記録媒体である。
本発明の第３の側面は、光源（例えば、図２のLED32）から発する光の変化により第１の鍵（例えば、図２の公開鍵K1）を公開的に配信し（例えば、図11のステップS42、図19のステップS147の処理）、前記光源の光から前記第１の鍵を抽出し（例えば、図10のステップS12、図18のステップS108）、抽出された前記第１の鍵で暗号化して第２の鍵（例えば、図２の暗号鍵K2）を近距離通信により送信し（例えば、図10のステップS19、図18のステップS110の処理）、暗号化されている前記第２の鍵を受信して復号し（例えば、図12のステップS78、図20のステップS178の処理）、前記第２の鍵を共通鍵として情報を授受する（例えば、図10のステップS20、図18のステップS111の処理、図12のステップS79、図20のステップS179の処理）情報処理システム（例えば、図２の情報提供システム１）または情報処理方法（例えば、図２の情報提供システム１の情報処理方法）である。